(57)【要約】本発明は、２つの設定トルクを伝達するためのねじ回し工具に関する。同じバネ要素（９）により付勢される２つのトルク制限機構（５，７）が設けられる。
2021523022.tif 000002
【特許請求の範囲】
【請求項１】
トルクを伝達するためのねじ回し工具において、第１のトルク制限機構（５，７）と第２のトルク制限機構（６，８）に付勢するバネ要素（９）を有し、前記第１のトルク制限機構（５，７）が、第１の制限トルクにより第１のブレード受容部（３）又は第１のブレード（１６）にかかるトルクを制限すること、及び、第２のトルク制限機構（６，８）が、第２の制限トルクにより第２のブレード受容部（４）又はブレード（１７）にかかるトルクを制限すること、を特徴とするねじ回し工具。
【請求項２】
前記第１及び／又は第２のトルク制限機構が、一方の傾斜フランクが他方の傾斜フランクの上にそれぞれ載置される傾斜フランク（１２，１３；１４，１５）を具備する２つのトルク制限要素（５，６；７，８）を有することを特徴とする請求項１に記載のねじ回し工具。
【請求項３】
前記第１のトルク制限機構（５，７）の第１の傾斜フランク（１２，１３）が、前記第２のトルク制限機構（６，８）の第２の傾斜フランク（１４，１５）とは異なる勾配角度を有することを特徴とする前出請求項のいずれか１項に記載のねじ回し工具。
【請求項４】
前記トルク制限機構（５，７；６，８）の各々が、一対のトルク制限要素（５，６；７，８）をそれぞれ有することを特徴とする前出請求項のいずれか１項に記載のねじ回し工具。
【請求項５】
前記トルク制限要素（５，６；７，８）がスリーブの形状を有し、前記スリーブの端面が歯（１２，１３；１４，１５）を有することを特徴とする前出請求項のいずれか１項に記載のねじ回し工具。
【請求項６】
直径に関して反対向きのブレード受容部（３，４）又はブレード（１６，１７）を特徴とする前出請求項のいずれか１項に記載のねじ回し工具。
【請求項７】
少なくとも２つのトルク制限機構（５，６；７，８）を有するトルク制限装置が、平坦なハウジング内に配置され、前記ハウジングが、特に２つのハウジングシェル（１，２）から構成されることを特徴とする前出請求項のいずれか１項に記載のねじ回し工具。
【請求項８】
少なくとも２つのトルク制限機構（５，７；６，８）に対して力を及ぼす前記バネ要素（９）が、螺旋圧縮バネであることを特徴とする前出請求項のいずれか１項に記載のねじ回し工具。
【請求項９】
前記バネ要素（９）の少なくとも１つの第１の端部（１０）及び同じ前記バネ要素（９）の少なくとも１つの別の、特に第２の端部（１１）が、軸方向に可動なトルク制限要素（７，８）上でそれぞれ支持され、前記トルク制限要素（７，８）は、トルクに抗する方式で前記ハウジングに接続されると共に、前記ハウジング（１，２）に対して回転可能な第２のトルク制限要素（５，６）に動作的に接続されることを特徴とする前出請求項のいずれか１項に記載のねじ回し工具。
【請求項１０】
前記工具が、２より多いブレード受容部（３，４）を形成し、かつ、１より多いバネ要素（９）を有し、その場合、２つのねじ回し工具（１６，１７）を割り当て可能な２つの軸が交差することを特徴とする前出請求項のいずれか１項に記載のねじ回し工具。
【発明の詳細な説明】
【技術分野】
【０００１】
本発明は、第１のトルク制限機構と第２のトルク制限機構を付勢するバネ要素を有する、トルクを伝達するためのねじ回し工具に関する。
【背景技術】
【０００２】
特許文献１は、ハウジング内に配置され、共通の圧縮バネにより付勢された２つのトルク制限機構を有するねじ回し工具を開示している。２つのトルク制限機構は、制限トルクを克服するために必要とされる圧縮バネのストロークを増大させる。
【０００３】
特許文献２は、類似のねじ回し工具を記載している。ここでは、２つのトルク制限装置も設けられている。
【０００４】
特許文献３は、３つのカプリング要素を有するカプリングを記載し、各々が、互いに対して傾斜フランク上でスライド可能な相互ロックするカプリングカムを有する。
【０００５】
別のねじ回し工具が特許文献４から知られている。公知のねじ回し工具においては、シャフトがハンドルのキャビティ内に位置し、そのシャフトはその後端に支持部材を有し、その上でバネ要素が支持されている。バネ要素は、第１のトルク制限要素に対して力を及ぼし、第１のトルク制限要素は、トルクに抗するが軸方向に可動な方式でハウジング内に配置されている。第１のトルク制限要素は傾斜フランクを有し、それらの傾斜フランクは第２のトルク制限要素の対向する傾斜フランクと当接し、第２のトルク制限要素は、固定されているがハウジングに対して捻れることができる方式でハウジング上に軸方向に配置されている。この第２のトルク制限要素は、トルク出力ツールに接続されている。バネの力及び傾斜フランクの勾配角度は、トルク制限機構の制限トルクを規定する。
【０００６】
特許文献５から、トルク制限装置を有するマイクロツールが知られている。
【先行技術文献】
【特許文献】
【０００７】
【特許文献１】独国特許第103 41 697号明細書
【特許文献２】欧州特許出願公開第2 594 367号明細書
【特許文献３】米国特許第 5 538 089号明細書
【特許文献４】独国特許出願公開第10 2004 061 482号明細書
【特許文献５】独国実用新案登録出願公開第20 2015 100 708 号明細書
【発明の概要】
【発明が解決しようとする課題】
【０００８】
本発明は、使用上より有利な一般的なねじ回し工具をさらに開発すること、特に、マイクロツールとして実施することができるような方法をさらに開発することを目的とする。
【課題を解決するための手段】
【０００９】
その課題は、請求の範囲で特定される本発明によって実現される。従属項は、主請求項の好ましいさらなる実施形態を表すだけではない。それらはまた、課題に対する独立した解決策でもある。
【００１０】
本発明によれば、バネ要素が、第２のトルク制限機構から形成された支持部材上で支持されることが好ましい。したがって本発明によれば、同じ弾性力を具備する単一のバネ要素が、２つの異なるトルク制限機構を付勢しており、その場合、各々のトルク制限機構が、２つのトルク制限要素をそれぞれ有することが好ましい。バネは、好ましくは螺旋圧縮バネから形成されるが、板バネ、円錐バネ、円盤バネ、又はプラスチック体とすることもでき、それによって、好ましくは一方の傾斜フランクが他方の傾斜フランクの上にそれぞれ載置される複数の傾斜フランクを有する２対のトルク制限要素を付勢する。したがって、各トルク制限機構は、第１のトルク制限要素を有することができ、その第１のトルク制限要素は、第２のトルク制限要素に割り当てられた傾斜フランクに当接する傾斜フランクを具備する。それらのトルク制限機構は、異なる勾配角度を有する傾斜フランクを有することができる。勾配角度が破断トルクすなわち制限トルクの大きさを規定するので、本発明によるトルク制限装置は、２つの、特に設定トルクを設けることができる。
本発明の好ましいさらなる実施形態では、トルク制限要素がスリーブとして構成されている。これらのスリーブは、１つの軸上に配置することができる。それらの対のトルク制限要素は、各々、トルクに抗する方式でハウジングに接続された軸方向に可動なトルク制限要素を有する。互いに反対側を向いたバネ要素の２つの端部が、これらの軸方向に可動なトルク制限要素と係合することが好ましい。それらの軸方向に可動なトルク制限要素は、軸方向に固定されているがハウジングに対しては回転可能に軸動作する２つのトルク制限要素と相互作用する。それらのトルク制限要素は、ブレードにしっかりと接続することができるか、又は、各々がブレードを挿入するためのブレード受容部を有する。２つのブレードが好ましくは共通の軸上に位置することによって、２つのブレード受容部が、反対方向に向いた開口を有し、その中にブレードをそれぞれ挿入することができる。工具は、マイクロツールとして構成することができる。このために、ハウジングが平坦な本体から形成されることが有利である。特に、２つの互いに接続されたハウジングシェルから構成することができ、その場合、ハウジングシェルは、互いに留められ、結合され、又は溶接されることができる。傾斜フランクは、好ましくは、鋸歯から形成され、各歯が傾斜フランク及び鋭いフランクを形成し、それらによって、例えば螺子を緩めるための高いトルクを印加することができる。２つのトルク制限機構は、好ましくは同じ方向に、例えば時計回りに作用する。
【００１１】
本発明の例示的実施形態を、図面に基づいて以下に説明する。
【図面の簡単な説明】
【００１２】
【図１】図１は、ねじ回し工具の斜視図である。
【図２】図２は、ねじ回し工具の側面図である。
【図３】図３は、ねじ回し工具の第１の展開図である。
【図４】図４は、図１のラインIV−IVに沿ったねじ回し工具のハンドルハウジングの断面図である。
【図５】図５は、図４のラインＶ−Ｖに沿った拡大断面図である。
【図６】図６は、別のブレードが後部ブレード受容部に挿入されている図１に対応する図である。
【図７】図７は、図６に示した操作位置における図２に対応する図である。
【図８】図８は、ここでは軸１９がない、ねじ回し工具の第２の展開図である。
【図９】図９は、軸１９がない、図４に対応する図である。
【図１０】図１０は、図９のラインＸ−Ｘに沿った断面図である。
【発明を実施するための形態】
【００１３】
図示されたねじ回し工具は、２つの異なるトルクを伝達ための平坦な工具である。このために、ねじ回し工具は、ハウジングシェル１、２から形成された平坦なハウジングを有する。ハウジングの外面はトルク伝達面を形成しており、それに対してユーザの手の指を用いてトルクを印加することができる。そのトルクは、共通の軸Ａに位置する２つのブレード１６、１７の１つに印加される。１つのブレード１６、１７は、ハウジングのブレード受容部３、４内にそれぞれ挿入されている。２つのブレード受容部３、４は、反対方向に向いている。
【００１４】
ハウジングの内部はトルク制限装置であり、ダブル傾斜フランクトランスミッションの形態によるトルク制限装置がある。そのトルク制限装置は、２つのトルク制限機構を有し、それらは鏡像反転態様で配置されている。各トルク制限機構は、一方が他方の上にそれぞれ載置される複数の傾斜フランクを有する２つのトルク制限要素５、６及び７、８を有する。それらの２つの傾斜フランク機構の傾斜フランク１２、１３及び１４、１５は、互いに異なる勾配角度である歯付きフランクを具備する歯を有する。歯付きフランクとは、鋸歯の面である。
【００１５】
２つのブレード受容部３、４が、各々、ハウジング１、２に対して回転可能なトルク制限要素５、６に割り当てられている。２つのトルク制限要素５、６は、軸方向においてハウジングにしっかりと取付けられている。
【００１６】
トルク制限要素５、６は、傾斜フランク１３、１４を有する。傾斜フランク１４、１５が傾斜フランク１２、１３よりも大きな勾配を有することによって、より小さい勾配をもつ傾斜フランク１３を具備するトルク制限要素５に対するよりも、より大きい勾配をもつ傾斜フランク１４を具備するトルク制限要素６に割り当てられたブレード１７に対してより大きなトルクを伝達することができる。
【００１７】
傾斜フランク１２、１３及び１４、１５は、互いに噛み合う鋸歯状の突起から形成されており、そしてそれぞれ、時計回り方向よりも反時計回り方向により大きなトルクを伝達することができる。
【００１８】
ハウジングに対して回転可能であるトルク制限要素５、６は、トルクに抗する方式でハウジングに固定されているトルク制限要素７、８と相互作用する。トルク制限要素７、８は傾斜フランク１２及び１５を形成し、それらは傾斜フランク１３及び１４とそれぞれ当接する。これらのトルク制限要素７、８は、２つのブレード１６、１７の延在方向において、ハウジング１、２に対して可動に配置されている。ハウジングキャビティから径方向内側に突出するリブ１８が設けられており、それらのリブ１８は、軸方向に可動なトルク制限要素７、８をトルクに抗する方式でハウジング１、２に結合するために、トルク制限要素７、８の歯付き凹部内に係合する
【００１９】
予め負荷をかけられた螺旋圧縮バネ９が設けられており、その螺旋圧縮バネ９は、軸方向に可動なトルク制限要素７、８の支持面上で支持されている。螺旋圧縮バネ９の第１の端部１０は、トルク制限要素７の容器状の凹部の底面で支持されている。螺旋圧縮バネ９におけるこの端部１０の反対側に位置する端部１１は、トルク制限要素８の容器状の凹部の底面で支持されている。
【００２０】
４つのトルク制限要素５、６、７、８は、軸方向に互いに前後に続いて位置している。軸要素１９がブレード受容部３、４の間に延在することができ、軸要素１９は、螺旋圧縮バネ９と、スリーブとして形成された２つの軸方向に可動なトルク制限要素７、８の中心を貫通する。図１〜図５の例示的実施形態では、２つの軸要素１９、１９’が、ブレード受容部３から反対側のブレード受容部４へと延在している。２つの軸要素１９、１９’は、拡大した直径をもつ頭部を有し、それらの頭部はブレード受容部３、４の底面を形成する。図６〜図１０の例示的実施形態では、この２つの部品からなる軸要素１９、１９’は存在しない。
【００２１】
（図示しない）他の例示的実施形態では、工具が、２つより多いブレード受容部３、４と１つより多いバネ要素９を形成することを提供できる。しかしながら、各々２つのねじ回しツール１６、１７を具備する２つの軸が交差することも提供可能である。例えば板バネ要素又は弾性体により形成されたバネ要素を、ここでは共通のバネ要素とすることができ、そのバネ要素は２つのトルク制限機構を付勢するのみでなく、複数の、例えば４つのトルク制限機構を付勢する。これらのさらなる例示的実施形態の１つでは、１又は複数のタペットの中間接続の下にあるバネが、その２つの端部をトルク制限機構上でそれぞれ支持されることも提供できる。例示的実施形態では、このようなタペットが長孔を有し、それを通って別のタペットが横方向に突出することがさらに提供できる。このタペットは、圧縮バネの一方の端部により付勢することもできる。そして、そのタペットと、圧縮バネの他方の端部とが、各々、トルク制限機構を有する。この、又は別の変形形態では、４つのトルク制限機構が設けられ、それらは４つの異なる制限トルクを有するが、２つのみの圧縮バネにより付勢されている。異なる制限トルクは、傾斜フランクの勾配により決定される。別の変形形態は、図示したようなねじ回し工具を２つ互いに接続することを提供できる。特に、それらは互いに回転可能に接続される。２つのそのようなねじ回し工具は、広い側面を横切って延在する回転軸を形成しつつ互いに接続可能である。この変形形態では、省スペース方式で細長いパイプとしてハウジングを形成することができる。それらは、回転軸の周りで平行位置から交差位置へと旋回することができ、それによって旋回状態の工具がスパイダーレンチのような外観を有する。このような外観は、タペット配置によっても実現することができる。その場合、小直径をもつタペットが、大直径をもつタペットの長孔を貫通し、そして各タペットがバネ要素により付勢されることによって、タペットが、他方のタペットに垂直な一方向に互いに対してシフトすることができる。
【００２２】
上述した実施形態は、本出願に包含される発明を全体として説明するためのものであるが、これらはまた、独立して、少なくとも以下の特徴の組合せによって先行技術をさらに発展させるものであり、ここで、これらの特徴の組合せのうちの２つ、複数又はすべてを組み合わせることも可能である。
【００２３】
バネ要素９が、第２のトルク制限機構６、８を付勢することを特徴とするねじ回しツール。
【００２４】
第１及び第２のトルク制限機構が、一方の傾斜フランクが他方の傾斜フランクの上にそれぞれ載置される傾斜フランク１２、１３；１４、１５をそれぞれ具備する２つのトルク制限要素５、６；７、８を有することを特徴とするねじ回し工具。
【００２５】
第１のトルク制限機構５、７の第１の傾斜フランク１２、１３が、第２のトルク制限機構６、８の第２の傾斜フランク１４、１５とは異なる勾配角度を有することを特徴とするねじ回し工具。
【００２６】
２つのトルク制限機構５、７；６、８の各々が、一対のトルク制限要素５、６；７、８をそれぞれ有することを特徴とするねじ回し工具。
【００２７】
トルク制限要素５、７；６、８が、スリーブ形状を有し、そのスリーブの端面が歯１２、１３；１４、１５を有することを特徴とするねじ込み工具。
【００２８】
直径に関して反対向きのブレード受容部３、４又はブレード１６、１７を特徴とするねじ込み工具。
【００２９】
少なくとも２つのトルク制限機構５、６；７、８を有するトルク制限装置が、平坦なハウジング内に配置されており、そのハウジングが、特に２つのハウジングシェル１、２から構成されることを特徴とするねじ回し工具。
【００３０】
少なくとも２つのトルク制限要素５、６；７、８に対して力を及ぼすバネ要素９が、螺旋圧縮バネであることを特徴とするねじ込み工具。
【００３１】
バネ要素９の少なくとも１つの第１の端部１０と、同じバネ要素９の少なくとも別の、特に第２の端部１１とが、１つの軸方向に可動なトルク制限要素７、８上でそれぞれ支持され、そのトルク制限要素７、８は、トルクに抗する方式でハウジングに接続されると共に、ハウジング１、２に対して回転可能である第２のトルク制限要素５、６にトルクを伝達する方式で動作的にそれぞれ接続されることを特徴とするねじ回し工具。
【００３２】
開示された全ての特徴は、（それ自体のために、また互いに組み合わされて）本発明に不可欠である。ここでの出願の開示は、関連する／追加された優先権書類（先の出願の写し）の開示内容をその内容全体に含み、それはこれらの書類の特徴を本願の請求項に組み込む目的でもある。従属請求項は、特にこれらの請求項に基づいて分割出願を行うために、引用される請求項の特徴がなくても、先行技術の独立した発明性のあるさらなる発展を特徴とする。各請求項で特定された発明は、前述の説明で特定された、特に参照符号が付与された、及び／又は符号の説明で特定された、１つ以上の機能を追加で有することができる。本発明はまた、特に、それらがそれぞれの使用目的に明らかに不要であるか、または技術的に同じ効果を有する他の手段で置き換えることができる限り、前述の説明で述べた特徴の個々のものが実装されない実施形態に関する。
【符号の説明】
【００３３】
１  ハウジングシェル
２  ハウジングシェル
３  ブレード受容部
４  ブレード受容部
５  トルク制限要素
６  トルク制限要素
７  トルク制限要素
８  トルク制限要素
９  バネ要素
１０  第１の端部
１１  第２の端部
１２  傾斜フランク、歯付き
１３  傾斜フランク、歯付き
１４  傾斜フランク、歯付き
１５  傾斜フランク、歯付き
１６  ブレード
１７  ブレード
１８  リブ
１９  軸要素
１９’  軸要素
Ａ  軸
【図１】
2021523022.tif 000003
【図２】
2021523022.tif 000004
【図３】
2021523022.tif 000005
【図４】
2021523022.tif 000006
【図５】
2021523022.tif 000007
【図６】
2021523022.tif 000008
【図７】
2021523022.tif 000009
【図８】
2021523022.tif 000010
【図９】
2021523022.tif 000011
【図１０】
2021523022.tif 000012
【国際調査報告】
2021523022.tif 000013
2021523022.tif 000014
2021523022.tif 000015
2021523022.tif 000016
2021523022.tif 000017